(57)【要約】　　　（修正有）【課題】魚釣用リールのハンドルアームの長さを迅速かつ容易に伸張させることができるようにすること。【解決手段】基端部が魚釣用リールの入力軸９に連結されるハンドルルアーム２０と、該ハンドルアーム２０の先端部に回転可能に保持されたハンドルノブ２２とを備えた魚釣用リールのハンドルにおいて、ハンドルアーム２０は、基端部が入力軸９に固着された外筒４１と、該外筒４１内に軸方向摺動可能に嵌装される内筒４２と、該内筒４２内に軸方向摺動可能に嵌装された制御棒４３とを備え、内筒４２には内外面を貫通し球体（ボール）４６を保持する球保持孔４２ｂが設けられ、外筒４１には内面の軸方向複数個所に、球体４６を位置決めする凹み４１ａが設けられ、制御棒４３には内筒４２の球保持孔４２ｂ位置近傍にテーパ付き小径部４３ａが設けられるとともに、ハンドルアーム２０先端方向に向けて制御棒４３が付勢されていることを特徴とする。【選択図】　　　　　図４
2004141033.tif 000002
【特許請求の範囲】
【請求項１】
基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、
上記ハンドルアームは、
基端部が上記入力軸に固着された外筒と、
該外筒内に軸方向摺動可能に嵌装されるとともに先端部に上記ハンドルシャフトが突出固定された内筒と、
該内筒内に軸方向摺動可能に嵌装された制御部材とを備え、
該制御部材への操作により前記外筒に対する前記内筒の係止が解除されて、上記ハンドルアームの長さが調整可能に構成されたことを特徴とする魚釣用リールのハンドル。
【請求項２】
基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、
上記ハンドルアームは、
基端部が上記入力軸に固着された外筒と、
該外筒内に軸方向摺動可能に嵌装されるとともに先端部に上記ハンドルシャフトが突出固定された内筒と、
該内筒内に軸方向摺動可能に嵌装された制御棒とを備え、
上記内筒には内外面を貫通し球体を保持する球保持孔が設けられ、
上記外筒には内面の軸方向複数個所に上記球体を位置決めする凹みが設けられ、
上記制御棒には上記内筒の球保持孔位置近傍にテーパ付き小径部が設けられるとともに、
ハンドルアーム先端方向に向けて上記制御棒が付勢されていることを特徴とする魚釣用リールのハンドル。
【請求項３】
上記制御棒を上記付勢力に抗して上記ハンドルアームの基端方向に押圧する手段が設けられたことを特徴とする請求項２記載の魚釣用リールのハンドル。
【請求項４】
上記制御棒を押圧する手段が上記ハンドルノブに取付けられたレバーであることを特徴とする請求項３記載の魚釣用リールのハンドル。
【請求項５】
上記制御棒を押圧する手段が上記ハンドルシャフトの軸線まわりに回転するカムであることを特徴とする請求項３記載の魚釣用リールのハンドル。
【請求項６】
上記制御棒を押圧する手段が、
上記ハンドルシャフトを軸線に沿って貫通する押圧軸と、
該押圧軸の一端に取付けられ、上記ハンドルシャフトの軸線と上記制御棒の軸線とのいずれとも傾斜する面で上記制御棒に接触する傾斜部材と、
上記押圧軸の他端に取付けられた押圧ボタンと、
上記押圧軸を上記押圧ボタン側に付勢する手段とを備えたことを特徴とする請求項３記載の魚釣用リールのハンドル。
【請求項７】
基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、
上記ハンドルアームは、
基端部が上記入力軸に固着された外筒と、
該外筒内に軸方向摺動可能に嵌装されるとともに先端部に上記ハンドルシャフトが突出固定された内筒と、
該内筒内に収容され軸線と交わる方向に移動可能な位置決め部材と、
上記内筒内に軸方向摺動可能に嵌装された制御棒とを備え、
上記位置決め部材は側面にピン状突起が設けられるとともに、該ピン状突起が突出する方向に付勢され、
上記内筒には内外面を貫通し上記ピン状突起が挿入される透孔が設けられ、
上記外筒には内面の軸方向複数個所に上記ピン状突起を位置決めする凹みが設けられ、
上記制御棒と上記位置決め部材とが互いに傾斜面によって接触していることを特徴とする魚釣用リールのハンドル。
【請求項８】
基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、
上記ハンドルアームは、
基端部が上記入力軸に固着された外筒と、
該外筒内に軸方向摺動可能に嵌装されるとともに先端部に上記ハンドルシャフトが突出固定された内筒と、
該内筒内に収容され軸線と交わる方向に移動可能な位置決め部材と、
上記内筒内に軸線まわりに回動可能に嵌装された制御棒とを備え、
上記位置決め部材は側面にピン状突起が設けられるとともに、該ピン状突起が突出する方向に付勢され、
上記内筒には内外面を貫通し上記ピン状突起が挿入される透孔が設けられ、
上記外筒には内面の軸方向複数個所に上記ピン状突起を位置決めする凹みが設けられ、
上記制御棒の回動により上記位置決め部材が軸線と交わる方向に移動するよう構成されたことを特徴とする魚釣用リールのハンドル。
【発明の詳細な説明】
【０００１】
【発明の属する技術分野】
本発明は魚釣用リールのハンドル、特にハンドルアームが伸縮可能なハンドルに関するものである。
【０００２】
【従来の技術】
魚釣りにおいて、通常はリールのハンドルアームを従来と同じ長さにして使用し、大きな魚が掛かった時にハンドルアームの長さを引き延ばすことによって、小さな力で釣り糸を巻取ることができるようにした魚釣用リールが従来からあった（例えば特許文献１あるいは特許文献２参照。）。
【０００３】
【特許文献１】
実開昭４８−１５９８５号公報
【特許文献２】
特開２０００−３４２１３１号公報
【０００４】
【解決しようとする課題】
前記従来のハンドルアーム長さ可変式魚釣用リールは、いずれもハンドルアームを伸縮させるための操作機構が、ハンドルの握り部位置から遠く離れていたので、実際の魚釣り中に大きな魚が掛かっても、俊敏な対応が不可能であった。
【０００５】
【課題を解決するための手段および効果】
前記従来の課題を解決するために、請求項１記載の発明は、基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、上記ハンドルアームは、基端部が上記入力軸に固着された外筒と、該外筒内に軸方向摺動可能に嵌装されるとともに先端部に上記ハンドルシャフトが突出固定された内筒と、該内筒内に軸方向摺動可能に嵌装された制御部材とを備え、該制御部材への操作により前記外筒に対する前記内筒の係止が解除されて、上記ハンドルアームの長さが調整可能に構成されたことを特徴とするものである。
【０００６】
請求項１記載の発明は上記のとおり構成され、制御部材への操作により外筒に対する内筒の係止が解除されるので、魚釣り中に大きな魚が掛かった時に、ハンドルアームの長さを簡単容易に大きくすることができる。
【０００７】
次に請求項２記載の発明は、基端部が魚釣用リールの入力軸に連結されるとともに、該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、上記ハンドルアームは、基端部が上記入力軸に固着された外筒と、該外筒内に軸方向摺動可能に嵌装されるとともに先端部に上記ハンドルシャフトが突出固定された内筒と、該内筒内に軸方向摺動可能に嵌装された制御棒とを備え、上記内筒には内外面を貫通し球体を保持する球保持孔が設けられ、上記外筒には内面の軸方向複数個所に上記球体を位置決めする凹みが設けられ、上記制御棒には上記内筒の球保持孔位置近傍にテーパ付き小径部が設けられるとともに、ハンドルアーム先端方向に向けて上記制御棒が付勢されていることを特徴とするものである。
【０００８】
請求項２記載の発明は、上記のとおり構成されているので、制御棒の端部を付勢力に抗してハンドルアームの基端方向に押圧することにより、外筒と内筒との結合を解き、ハンドルアームを所望の長さにした後、押圧を止めることにより、外筒と内筒とを再び結合固定させることができる。その際、制御棒の押圧される端部はハンドルノブに近接しているので、ハンドルノブを握ったまま、親指だけで操作することができる。したがって、魚釣り中に大きな魚が掛かってハンドルアームの長さを迅速に大きくしたい時に、俊敏な伸長操作が可能である。
【０００９】
次に請求項３記載の発明は、前記請求項２記載の発明において、上記制御棒を上記付勢力に抗して上記ハンドルアームの基端方向に押圧する手段が設けられたことを特徴とするものである。したがって請求項３記載の発明によれば、ハンドルアームの伸縮操作が更に容易になる。
【００１０】
また請求項４記載の発明は、前記請求項３記載の発明において、上記制御棒を押圧する手段が上記ハンドルノブに取付けられたレバーであることを特徴とするものである。このように請求項４記載の発明では、制御棒よりも握り部に近いハンドルノブにレバーが取付けられていて、ハンドルアームの長さを変えたい時には、このレバーを押圧すればよいので、握り部を握ったまま、ハンドルアームの伸縮操作を迅速かつ容易に行なうことができる。
【００１１】
更に請求項５記載の発明は、前記請求項３記載の発明において、上記制御棒を押圧する手段が上記ハンドルシャフトの軸線まわりに回転するカムであることを特徴とするものである。したがって請求項５記載の発明によれば、カムを回転させる手段を、握り部に更に近接させることができるので、ハンドルアームの長さ変更が更に容易になる。
【００１２】
そして請求項６記載の発明は、前記請求項３記載の発明において、上記制御棒を押圧する手段が、上記ハンドルシャフトを軸線に沿って貫通する押圧軸と、該押圧軸の一端に取付けられ、上記ハンドルシャフトの軸線と上記制御棒の軸線とのいずれとも傾斜する面で上記制御棒に接触する傾斜部材と、上記押圧軸の他端に取付けられた押圧ボタンと、上記押圧軸を上記押圧ボタン側に付勢する手段とを備えたことを特徴とするものである。したがって請求項６記載の発明によれば、握り部に極めて近い押圧ボタンを一方向に押圧するだけで、外筒と内筒との結合を解くことができるので、ハンドルアームの伸縮操作を極めて容易に行なうことができる。
【００１３】
また請求項７記載の発明は、基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、上記ハンドルアームは、基端部が上記入力軸に固着された外筒と、該外筒内に軸方向摺動可能に嵌装されるとともに先端部に上記ハンドルシャフトが突出固定された内筒と、該内筒内に収容され軸線と交わる方向に移動可能な位置決め部材と、上記内筒内に軸方向摺動可能に嵌装された制御棒とを備え、上記位置決め部材は、側面にピン状突起が設けられるとともに、該ピン状突起が突出する方向に付勢され、上記内筒には内外面を貫通し上記ピン状突起が挿入される透孔が設けられ、上記外筒には内面の軸方向複数個所に上記ピン状突起を位置決めする凹みが設けられ、上記制御棒と上記位置決め部材とが互いに傾斜面８３ｂによって接触していることを特徴とするものである。
【００１４】
したがって請求項７記載の発明においても、握り部に近い制御棒の端部を押圧することにより、外筒と内筒との係合を解くことができるから、ハンドルアームの伸縮操作が容易であり、しかも構造が簡単で製作も容易である。
【００１５】
加えて請求項８記載の発明は、基端部が魚釣用リールの入力軸に連結されるとともに該入力軸と交わる方向に延びるハンドルアームと、該ハンドルアームの先端部に上記入力軸と平行に突出固定されたハンドルシャフトと、該ハンドルシャフトに回転可能に保持されたハンドルノブとを備えた魚釣用リールのハンドルにおいて、上記ハンドルアームは、基端部が上記入力軸に固着された外筒と、該外筒内に軸方向摺動可能に嵌装されるとともに先端部に上記ハンドルシャフトが突出固定された内筒と、該内筒内に収容され軸線と交わる方向に移動可能な位置決め部材と、上記内筒内に軸線まわりに回動可能に嵌装された制御棒とを備え、上記位置決め部材は、側面にピン状突起が設けられるとともに、該ピン状突起が突出する方向に付勢され、上記内筒には内外面を貫通し上記ピン状突起が挿入される透孔が設けられ、上記外筒には内面の軸方向複数個所に上記ピン状突起を位置決めする凹みが設けられ、上記制御棒の回動により上記位置決め部材が軸線と交わる方向に移動するよう構成されたことを特徴とするものである。
【００１６】
したがって請求項８記載の発明でも、制御棒を回動させることにより、内筒と外筒との係合を解き、ハンドルアームを伸縮させることができる。
【００１７】
【発明の実施の形態】
本発明のハンドルは、如何なる形式の魚釣用リールにも装着可能であるが、以下の説明は、両軸受型リールに取り付けた場合を例として説明する。図１は本発明の一実施形態に係る両軸受型リールを後方から見た図、図２は同リールを右方から見た図、図３は同リールの断面図である。
【００１８】
まず図１、図２に示されるように、両軸受型リールは、釣り竿１に装着されるかご状の本体枠２と、この本体枠２の内側に回転自在に装着されて釣り糸を巻き取るスプール３と、この本体枠２の一方の側面に取り付けられスプール３を回転させる駆動手段４と、この本体枠２の他方の側面に取り付けられスプール３に巻かれた釣糸に一定のテンションが作用した時スプール３に釣り糸繰り出し方向の回転を許容するドラッグ機構５とを備えている。
【００１９】
次に図３に示されるように、右サイドカバー６の外側に副サイドカバー７がある。その外側に、駆動手段４の一部を構成するハンドル８がある。ハンドル８は副サイドカバー７から突出する入力軸９の端部に連結されている。右サイドカバー６の内側には、駆動手段４の他の部分を構成する入力軸９、歯車群１２、一方向クラッチ１３、および回転軸１４の右端部が内蔵されている。
【００２０】
回転軸１４はスプール３の中心空洞部を貫通し、左サイドカバー１５内に収容されているドラッグ機構５に連結され、ドラッグ機構５はスプール３に接続されている。ドラッグ機構５の構造は図示していないが、回転軸１４に連なる内側円錐面と、スプール３に連なる外側円錐面と、上記両円錐面の間で押圧挟持されている複数個のローラからなっている。
【００２１】
上記両軸受型リールは、駆動手段４のハンドル８で入力軸９を回し、その回転が回転軸１４に伝達され、通常の釣り糸巻き取り時には、回転軸１４の回転はドラッグ機構５を介してスプール３に伝達される。上記リールにおいて、一方向クラッチ１３は回転軸１４にハンドルの釣り糸巻取り方向の回転は伝達するが、逆方向の回転は伝達しない。回転軸１４は釣り糸巻取り方向の回転は可能であるが、逆方向には回転できない。ドラッグ機構５は、釣り糸に作用する張力が設定値以下の時は、前記両円錐面の間で押圧されているローラは摩擦力によって転動も摺動もできないので、前記両円錐面は同じ方向に回転し、回転軸１４の巻取り方向の回転はスプール３に伝達され、スプールは釣り糸を巻き取る。
【００２２】
釣り糸に作用する張力が設定値以上となった時は、釣り糸からスプールに加わる釣り糸繰り出し方向のトルクが両円錐面とローラとの間の摩擦力に打ち勝ち、前記両円錐面の間でローラの転動と摩擦を伴う摺動が生じ、スプール３は、釣り糸に引っ張られて、回転軸１４が伝達する回転方向とは逆方向に、抵抗のかかった状態で回転を始める。したがって、釣り糸は抵抗がかかった状態で繰り出される。これは、大型魚による釣り糸の張力によって釣り糸が切れることを防ぐためのドラッグ機構の機能である。上記両軸受型リールの詳細については本件出願人が過去に出願した発明に関する特開２００２−１２５５４１号等に掲載されているので説明を省略する。
【００２３】
次に図４は本発明のハンドル８の一実施形態を示す縦断面図、図５は図４のＶ−Ｖ矢視拡大横断面図、図６は図４のＶＩ−ＶＩ矢視拡大横断面図、図６は図４のＶＩＩ−ＶＩＩ矢視拡大縦断面図である。
【００２４】
ハンドル８は大きく分けると、基端（図の上端）部が入力軸９に連結され、同入力軸９と交わる方向に延びるハンドルアーム２０、同ハンドルアームの先端（図の下端）部に上記入力軸９と平行に突出固定されているハンドルシャフト２１、および同ハンドルシャフト２１の外周に回転可能に支持されているほぼＴ字型のハンドルノブ２２からなっている。ハンドルノブ２２はハンドルシャフト２１の外周で回転する筒状部２３と、同筒状部２３の先端部に直交して取り付けられた棒状の握り部２４とからなっている。
【００２５】
またハンドルアーム２０は、基端部が入力軸９に固着された外筒４１と、その外筒４１内に軸方向摺動可能に嵌装された内筒４２と、更にその内筒４２内に軸方向摺動可能に嵌装された制御棒４３とを備えている。そして、その内筒４２の先端部にハンドルシャフト２１が突出固定されている。
【００２６】
入力軸９の端部には、ボルト１０を介して雄ネジ部材１１が取りつけられており、ハンドルアーム２０の外筒４１基端部にはボルト２５およびまわり止めピン４０によりハンドルボス２６が固定されている。そしてそのハンドルボス２６に設けられた雌ネジ部が、入力軸９の端部の雄ネジ部材１１に螺合してハンドルアーム２０を入力軸９に固定し、ハンドルアーム２０の回転を入力軸９に伝える。上記雄ネジ部材１１およびハンドルボス２６の雌ネジは釣り糸巻取り方向の回転で締まるネジであり、通常は右ネジである。
【００２７】
ハンドルアームの内筒４２には、外筒４１に対して相対回動せず軸方向にのみ摺動するように、外面の長手方向に沿って長溝４２ａが設けられており、外筒４１に取付けられたまわり止めピン４４の先端がその長溝４２ａに挿入されている。そして、そのまわり止めピン４４の脱落を防ぐために、外筒４１の外側面にピンおさえ４５がかぶせられている。
【００２８】
ハンドルアームの内筒４２にはまた、軸方向中央部の円周複数（図示例では４）個所に内外面を貫通する球保持孔４２ｂが設けられ、その球保持孔４２ｂの中に球体（ボール）４６が収容保持されている（図５参照。）。内筒４２の先端部４２ｃは、図６、図７に示されるように扁平に形成されており、この扁平な先端部４２ｃに、ハンドルシャフト２１の基端部が４本のネジ４７により固定される。
【００２９】
ハンドルアームの外筒４１には、内面の軸方向複数（図示例では３）個所に、円周方向に沿って凹溝４１ａが設けられ、前記ボール４６を位置決めするようになっている。また外筒４１の先端部内面にはＯリング４８が取付けられて、内筒４２との摺動部に海水等が侵入するのを防止する。
【００３０】
内筒４２の基端部にはプラグ４９が嵌入固定されており、同内筒４２内に嵌装された制御棒４３との間にバネ５０が配されて、制御棒４３をハンドルアーム２０先端方向に向けて付勢している。その制御棒４３には内筒４２の球保持孔４２ｂ位置近傍にテーパ付きの小径部４３ａが設けられている。
【００３１】
ハンドルノブ２２の筒状部２３には、両端部の内側に内径がやや大きい部分が設けられており、ここに合成樹脂製のすべり軸受２９、３０が圧入され保持されている。これらの軸受２９、３０の内面にはグリースが塗布されている。また、筒状部２３のハンドルアーム２０側の端には、図４に示されるように、筒状部２３をハンドルシャフト２１に取り付けた後のごみの侵入を防ぐために、薄肉延長筒部２３ａが設けられている。さらに、筒状部２３の先端部外周の、握り部２４が装着される部位に対応して、係合部として角型断面の環状溝２３ｂが削成されている。これは、後述の握り部取付け用雄ネジ部材３５の先端小径部３５ｃが嵌り、係合する溝である。なおこの環状溝２３ｂの代りに、筒状部２３の外周に形成された単数または複数の係合盲穴であっても良い。
【００３２】
筒状部２３をハンドルシャフト２１に取り付ける場合は、予めハンドルアーム２０に取付けられているハンドルシャフト２１を筒状部２３の中心孔に挿通し、筒状部２３の抜け防止のために、軸受３０より大径のワッシャ３１を介してボルト３２をハンドルシャフト先端の雌ネジ孔に螺合固定する。
【００３３】
ハンドルノブ２２の握り部２４は合成樹脂で作られている。握り部２４の側部には、その長手方向の一方に偏した位置に、奥端の塞がった横穴３３が穿設してある。これはハンドルノブの筒状部２３の先端が嵌入される穴である。上記横穴３３の中心からその両側に伸びる握り部の端までの寸法Ａ，Ｂは等しくても良いが、図４の例では一方の握り部２４Ａよりも他方の握り部２４Ｂの方が長い。その長い方の握り部２４Ｂの軸線上に貫通孔３４が設けられている。この貫通孔３４は、入口部に雌ネジ３４ａを備え、中央の大部分が大径孔３４ｂで、最奥部は前記横穴３３に連通する小径孔３４ｃとなっている。
【００３４】
一方、上記貫通孔３４に適合する握り部取付け用雄ネジ部材３５が用意されている。これは金属製のネジであり、その頭部は１本の溝を有する丸平頭であり、その頭部に隣接して前記雌ネジ３４ａに螺合可能な雄ネジ３５ａが設けられており、中央の大部分は前記貫通孔３４の大径孔３４ｂに嵌る大径部３５ｂであり、先端部は前記貫通孔３４の小径孔３４ｃに挿通され、横穴３３の中へ突出する小径部３５ｃとなっている。
【００３５】
ハンドルノブ２２の筒状部２３に握り部２４を取りつける場合は、予めハンドルシャフト２１に回転可能に取り付けられている筒状部２３の先端を握り部２４の横穴３３に挿入し、次に握り部２４Ｂの端から貫通孔３４に握り部取付け用雄ネジ部材３５を挿入して、雄ネジ３５ａを雌ネジ３４ａに螺合して締結する。この時、握り部取付け用雄ネジ部材３５の先端小径部３５ｃが筒状部２３の環状溝２３ｂの中に嵌入される。上記工程によって、握り部２４が筒状部２３に装着され、一体のハンドルノブ２２として、操作者の手に握られる。釣り糸の巻取り操作がなされる時には、このハンドルノブ２２はハンドルシャフト２１の回りで回転機能する。上記取付け操作を逆にたどることによって、握り部２４を筒状部２３から取り外すことができる。これによって、操作者に適した寸法の握り部に交換することができる。
【００３６】
魚釣り中に大きな魚が掛かって、ハンドルアーム２０の長さを長くしたい時は、握り部２４を握ったまま、親指で制御棒４３をハンドルアーム２０の基端方向（図４の上方）に押圧する。そうすると、制御棒４３はバネ５０の付勢力に抗して内筒４２内に押込まれる。そして図８に示されるように、制御棒４３の小径部４３ａが内筒４２の球保持孔４２ｂ位置に来て、ボール４６が外筒４１の凹溝４１ａから脱出できるようになる。そこで、制御棒４３を親指で押圧したまま、握り部２４をハンドルアーム２０の先端方向（図の下方）に引くと、図９に示されるように、内筒４２が外筒４１から引出され、ハンドルアーム２０の長さが延長される。
【００３７】
内筒４２の球保持孔４２ｂが外筒４１の他の凹溝４１ａ（この例では最先端の凹溝４１ａ）の位置まで来た時に親指による制御棒４３の押圧を止めると、バネ５０の付勢力により制御棒４３がハンドルアーム２０の先端方向に突出し、図１０に示されるように、ボール４６が制御棒４３の小径部４３ａからテーパ部によりせり上げられて、最先端の凹溝４１ａ内にはまり込む。こうして、ハンドルアーム２０が最も長くなった状態で内筒４２は外筒４１に固定される。
【００３８】
ハンドルアーム２０を中間の長さにしたい時は、内筒４２の球保持孔４２ｂが外筒４１の中間の凹溝４１ａ位置に来た時に親指を制御棒４３から離せばよい。ハンドルアーム２０を元の長さに戻したい時は、上記とは逆に、制御棒４３を押圧することによりボール４６を制御棒４３の小径部４３ａに落としてから、内筒４２を外筒４１内に押込み、内筒４２の球保持孔４２ｂが外筒４１の元の凹溝４１ａ位置に来た時に押圧を止めればよい。
【００３９】
このように本実施形態では、ハンドルアーム２０を伸縮させるための操作部である制御棒４３が、ハンドルの握り部２４のすぐ近傍に配置されるので、握り部２４を握ったまま、親指だけで操作することができる。したがって、魚釣り中に大物が掛かって、ハンドルアーム２０の長さを迅速に大きくしたい時に、俊敏な伸長操作が可能である。
【００４０】
本実施形態ではまた、内筒４２と外筒４１との摺動部にＯリング４８が取付けられているので、完全に密封され、海水等の侵入が防止される。したがって、素材の選択やメッキ等の表面処理に頼らずにすむ（図４参照。）。
【００４１】
また外筒４１とハンドルボス２６との結合部にまわり止めピン４０が配されているので外筒４１の抜け防止と周り止めが確実になされる（図４。）。
【００４２】
更に本実施形態では、内筒４２外面に長手方向に沿って長溝４２ａが設けられ、外筒４１に取付けられたまわり止めピン４４の先端がその長溝４２ａに挿入されているので、内筒４２は外筒４１に対して相対回転せず、軸方向にのみ摺動できる。そして、外筒４１の外側面にピンおさえ４５がかぶせられているので、まわり止めピン４４の脱落が防止される（図４参照。）。
【００４３】
なお前記の握り部２４において、一方の握り部には、周囲の合成樹脂製部分に比して遥かに比重の大きい金属製の握り部取付け用雄ネジ部材３５が装着されている。このネジ３５は重錘の役割を兼ね、リール操作者がハンドルノブ２２から手を離した時には、握り部取付け用雄ネジ部材３５が装着されている方を下方に向けて鉛直になる。すなわち、操作者がハンドルノブ２２を握っていない時には、握り部２４は鉛直になっている。したがって、リール操作者は、ハンドルノブ２２から手を離した状態にあっても、握り部２４の停止姿勢を予知し得るので、とっさの行動において、操作者がハンドルノブ２２を握り込む際に、握り部２４をスムーズに握ることができ、迅速に次の巻き込み操作へ移行することができる。
【００４４】
次に図１１は本発明のハンドルの第２の実施形態を示す縦断面図である。この実施形態においては、ハンドルノブの筒状部２３にレバー５５が、軸５６のまわりに揺動可能に取付けられている。ハンドルアーム２０を伸縮する際には、握り部２４を握ったまま、親指でレバー５５を押圧する。そうすると制御棒４３がバネ５０の力に抗して内筒４２内に押込まれ、ボール４６が外筒４１の凹溝４１ａから脱出できるようになる。その後の作動は前記第１の実施形態と同様である。
【００４５】
本実施形態では、制御棒４３よりもハンドルノブの握り部２４に近いハンドルノブの筒状部２３にレバー５５が取付けられていて、ハンドルアーム２０の長さを変えたい時にはこのレバー５５を押圧すればよいので、握り部２４を握ったまま、ハンドルアーム２０の伸縮操作を更に迅速かつ容易に行なうことができる。
【００４６】
次に図１２は本発明のハンドルの第３の実施形態を示す縦断面図で、（ｂ）は（ａ）のＢ−Ｂ矢視断面である。本実施形態においては、内筒６２の先端部６２ｃが幅広になっていて、その内部に、軸線をハンドルシャフト６１と共有する短円筒状のカム室６２ｄが形成され、制御棒６３の先端に接触するカム６４がそのカム室６２ｄ内に収容されている。６５はハンドルシャフト６１を軸線に沿って貫通するカム軸、６６はカム軸６５に固定されたつまみである。そしてつまみ６６をつまんでカム軸６５を、ひいてはカム６４を回動させることにより、制御棒６３を基端部へ向けて押圧するようになっている。
【００４７】
本実施形態では、ハンドルノブの握り部２４のほぼ中央部に配されたつまみ６６を操作するので、ハンドルアーム２０の長さ変更が更に容易になる。
【００４８】
次に図１３は本発明のハンドルの第４の実施形態を示す縦断面図で、（ｂ）は（ａ）のＢ−Ｂ矢視断面を示す。本実施形態においても、ハンドルアーム内筒７２の先端部７２ｃが幅広になっていて、その内部に、軸線をハンドルシャフト７１と共有する短円筒状の空洞７２ｄが形成され、この空洞７２ｄ内に制御棒７３の先端が突出している。また空洞７２ｄ内には、制御棒７３の先端に接触する円錐面を有する円錐台部材７４が収容され、ハンドルシャフト７１を軸線に沿って貫通する押圧軸７５の一端に固定されている。押圧軸７５の他端には押圧ボタン７６が取付けられ、更に押圧軸７５を押圧ボタン７６側に付勢するバネ７７が設けられる。
【００４９】
本実施形態では、制御棒７３に接触する円錐台部材７４の円錐面が、ハンドルシャフト７１の軸線すなわち押圧軸７５の軸線と制御棒７３の軸線とのいずれとも傾斜しているので、ハンドルアーム２０を伸縮させたい時には、バネ７７の力に抗して押圧ボタン７６を押圧すると、押圧軸７５、円錐台部材７４を介して制御棒７３がハンドルアーム２０の基端部に向けて押込まれる。そしてボール４６が制御棒７３の小径部に移動し、内筒７２が外筒４１に対して摺動可能となる。
【００５０】
本実施形態では制御棒７３をハンドルアーム２０の基端方向に押圧する手段の操作部、すなわち押圧ボタン７６が、ハンドルノブの握り部２４のほぼ中央部に配されており、しかもバネ７７が設けられて一方向に押圧するだけでよいから、ハンドルアーム２０の伸縮操作は極めて容易である。
【００５１】
また本実施形態では、押圧軸７５の一端に取付けられて制御棒７３に接触する傾斜部材として、円錐面を有する円錐台部材７４が用いられるので、押圧軸７５が軸線まわりに回転しても、制御棒７３を押圧する手段としての機能が損われることはない。
【００５２】
次に図１４は本発明のハンドルの第５の実施形態を示す縦断面図、図１５は図１４の内筒と外筒との係合を解除した状態を示す図である。
【００５３】
本実施形態のハンドルアーム２０は、基端部が入力軸９に固着された外筒８１と、その外筒８１内に軸方向摺動可能に嵌装された内筒８２と、その内筒８２内に収容され軸線と交わる方向（入力軸９と平行）に移動可能な位置決め部材８３と、上記内筒８２内に軸方向摺動可能に嵌装された制御棒８４とを備えている。そして内筒８２の先端部にハンドルシャフト２１が突出固定されていることは、前記諸実施例と同様である。
【００５４】
内筒８２の基端部には、柱状のプラグ８７が挿入固定されており、上記位置決め部材８３はこのプラグ８７の先端面に接触して配されている。また位置決め部材８３には、側面（図では右面）にピン状突起８３ａが設けられるとともに、そのピン状突起８３ａが突出する方向（つまり図の右方）にバネ８５によって付勢されている。位置決め部材８３と上記制御棒８４とは、互いに傾斜面８３ｂ、８４ａによって接触している。
【００５５】
上記内筒８２には、内外面を貫通し上記位置決め部材８３のピン状突起８３ａが挿入される透孔８２ａが設けられ、上記外筒８１には内面の軸方向複数（図示例では３）個所に、円周方向に沿って上記ピン状突起８３ａを位置決めする環状溝８１ａが設けられている。
【００５６】
その他の構造については、前記の諸実施形態と同様なので、同一部分には同一の符号を付け、詳細な説明を省略する。
【００５７】
図１４に示される状態では、位置決め部材８３がバネ８５により図の右向きに付勢されて、ピン状突起８３ａが内筒８２の透孔８２ａを貫通し、外筒８１の環状溝８１ａ内まで進入している。したがって内筒８２は外筒８１に対して係止されており、相対的に摺動することはできない。すなわちハンドルアーム２０の長さは固定されている。
【００５８】
ここで制御棒８４の先端を基端方向（図の上方）に押圧すると、位置決め部材８３と制御棒８４とが互いに傾斜面８３ｂ、８４ａで接触しているから、図１５に示されるように、位置決め部材８３はバネ８５の力に抗して、図の左方へ動かされる。そうすると位置決め部材８３のピン状突起８３ａが外筒８１の環状溝８１ａから抜け出る。したがって外筒８１に対する内筒８２の係止が解除されて、外筒８１と内筒８２とが相対的に摺動できるようになる。
【００５９】
そこで握り部２４をハンドルアーム２０の先端方向（図の下方）に引くと、内筒８２が外筒８１から引出され、ハンドルアーム２０の長さが長くなる。所定の長さになったところで、制御棒８４の押圧を止めると、バネ８５の付勢力によって位置決め部材８３が図の右方に移動し、内筒８２の透孔８２ａを経て外筒８１の環状溝８１ａ内に達すれば、外筒８１と内筒８２とは再び互いに係止され、ハンドルアーム２０長さが固定される。このとき制御棒８４はバネ８５の力と重力によって、下方へ押し下げられる。
【００６０】
本実施形態においても、握り部２４に近い制御棒８４の端部を押圧することにより、内筒８２と外筒８１の係合を解くことができるから、ハンドルアーム２０の伸縮操作を容易に行なうことができる。また本実施形態のハンドル８は構造が簡単であり、製作も容易である。
【００６１】
次に図１６は本発明のハンドルの第６の実施形態を示す縦断面図、図１７は図１６の要部を示す図で、（ｂ）は（ａ）のＢ−Ｂ矢視横断面図である。図１８は図１６の内筒と外筒との係合を解除した状態を示す図、図１９は図１８の要部を示す図で、（ｂ）は（ａ）のＢ−Ｂ矢視断面図である。
【００６２】
前記の実施形態は、いずれも制御棒を軸線方向に摺動させるものであったが、本実施形態では制御棒を内筒内で軸線まわりに回動させることにより、外筒に対する内筒の係止を解除するものである。以下詳述する。
【００６３】
本実施形態において、内筒８２内に嵌装された制御棒９４には、外側面に円周方向に沿って環状溝９４ａが設けられ、内筒８２に打込まれたピン９５の先端が、この環状溝９４ａ内に進入している。したがって制御棒９４は、内筒内を軸線まわりに回動できるが、軸方向の相対摺動はできない。この制御棒９４の先端には、これを回動させるためのつまみ部９４ｃが形成されている。また基端部側（図の上側）の端部には図１７（ｂ）に示されるような扇形断面部９４ｂが形成されている。一方位置決め部材９３にも扇形断面部９３ｂが形成されている。これら扇形断面部９３ｂ、９４ｂは軸方向位置が重なっている。すなわち、図１７に示されるように、同一の横断面内に両扇形断面部９３ｂ、９４ｂが位置している。
【００６４】
その他の構造については、前記第５の実施形態と同様なので、同一の部分には同一の符号を付け、詳しい説明は省略する。
【００６５】
図１６および図１７に示される状態では、位置決め部材９３がバネ８５により図の右向きに付勢されて、ピン状突起９３ａが内筒８２の透孔８２ａを貫通し、外筒８１の環状溝８１ａ内まで進入している。したがって内筒８２は外筒８１に相対的に摺動することはできない。すなわちハンドルアーム２０の長さは固定されている。
【００６６】
ここで制御棒９４をつまみ部９４ｃにより回動させると、制御棒９４の扇形断面部９４ｂと位置決め部材９３の扇形断面部９３ｂとが、軸線に平行な面同士で接触し、位置決め部材９３が制御棒９４に押されて、図１８および図１９に示されるように、バネ８５の力に抗し、図１８、図１９（ａ）の左方へ動かされる。そうすると位置決め部材９３のピン状突起９３ａが外筒８１の環状溝８１ａから抜け出る。したがって外筒８１に対する内筒８２の係止が解除されて、外筒８１と内筒８２とが相対的に摺動できるようになる。
【００６７】
そこで握り部２４をハンドルアーム２０の先端方向（図の下方）に引くと、内筒８２が外筒８１から引出され、ハンドルアーム２０が長くなる。所定の長さになったところで、制御棒９４を元の回転位置に戻すと、位置決め部材９３がバネ８５の付勢力により内筒８２の透孔８２ａを経て外筒８１の環状溝８１ａ内まで移動し、外筒８１と内筒８２とが再び係止状態となり、ハンドルアーム２０の長さが固定される。
【図面の簡単な説明】
【図１】本発明の一実施形態に関する両軸受型リールを後方から見た図である。
【図２】上記リールを右方から見た図である。
【図３】上記リールの断面図である。
【図４】本発明のハンドルの一実施形態を示す縦断面図である。
【図５】図４のＶ−Ｖ矢視拡大横断面図である。
【図６】図４のＶＩ−ＶＩ矢視拡大横断面図である。
【図７】図４のＶＩＩ−ＶＩＩ矢視拡大縦断面図である。
【図８】図４の状態からハンドルアームを伸長する操作の始まりを示す図である。
【図９】ハンドルアームを伸長する途中を示す図である。
【図１０】ハンドルアームを伸ばし切った状態を示す図である。
【図１１】本発明のハンドルの第２の実施形態を示す縦断面図である。
【図１２】本発明のハンドルの第３の実施形態を示す縦断面図で、（ｂ）は（ａ）のＢ−Ｂ矢視断面を示す。
【図１３】本発明のハンドルの第４の実施形態を示す縦断面図で、（ｂ）は（ａ）のＢ−Ｂ矢視断面を示す。
【図１４】本発明のハンドルの第５の実施形態を示す縦断面図である。
【図１５】図１４の内筒と外筒との係合を解除した状態を示す図である。
【図１６】本発明のハンドルの第６の実施形態を示す縦断面図である。
【図１７】図１６の要部を示す図で、（ｂ）は（ａ）のＢ−Ｂ矢視横断面図である。
【図１８】図１６の内筒と外筒との係合を解除した状態を示す図である。
【図１９】図１８の要部を示す図で、（ｂ）は（ａ）のＢ−Ｂ矢視断面図である。
【符号の説明】
１…釣り竿、２…本体枠、３…スプール、４…駆動手段、５…ドラッグ機構、６…右サイドカバー、７…副サイドカバー、８…ハンドル、９…入力軸、１０…ボルト、１１…雄ネジ部材、１２…歯車群、１３…一方向クラッチ、１４…回転軸、１５…左サイドカバー、２０…ハンドルアーム、２１…ハンドルシャフト、２１ｂ…ハンドルシャフト基端側大径部、２２…ハンドルノブ、２３…筒状部、２３ａ…薄肉延長筒部、２３ｂ…角型断面の環状溝、２４…握り部、２５…ボルト、２６…ハンドルボス、２９，３０…すべり軸受、３２…ボルト、３３…横穴、３４…貫通孔、３４ａ…雌ネジ、３４ｂ…大径孔、３４ｃ…小径孔、３５…握り部取付け用雄ネジ部材、３５ａ…雄ネジ、３５ｂ…大径部、３５ｃ…小径部、４０…まわり止めピン、４１…ハンドルアーム外筒、４１ａ…凹溝、４２…ハンドルアーム内筒、４２ａ…長溝、４２ｂ…球保持孔、４２ｃ…先端部、４３…制御棒、４３ａ…小径部、４４…まわり止めピン、４５…ピンおさえ、４６…球体（ボール）、４７…ネジ、４８…Ｏリング、４９…プラグ、５０…バネ、５５…レバー、５６…軸、６１…ハンドルシャフト、６２…ハンドルアーム内筒、６２ｃ…先端部、６２ｄ…カム室、６３…制御棒、６４…カム、６５…カム軸、６６…つまみ、７１…ハンドルシャフト、７２…ハンドルアーム内筒、７２ｃ…先端部、７２ｄ…空洞、７３…制御棒、７４…円錐台部材、７５…押圧軸、７６…押圧ボタン、７７…バネ、８１…外筒、８１ａ…環状溝、８２…内筒、８２ａ…透孔、８３…位置決め部材、８３ａ…ピン状突起、８３ｂ…傾斜面、８４…制御棒、８４ａ…傾斜面、８５…バネ、８７…プラグ、９３…位置決め部材、９３ａ…ピン状突起、９３ｂ…扇形断面部、９４…制御棒、９４ａ…環状溝、９４ｂ…扇形断面部、９４ｃ…つまみ部、９５…ピン。
【図１】
2004141033.tif 000003
【図２】
2004141033.tif 000004
【図３】
2004141033.tif 000005
【図４】
2004141033.tif 000006
【図５】
2004141033.tif 000007
【図６】
2004141033.tif 000008
【図７】
2004141033.tif 000009
【図８】
2004141033.tif 000010
【図９】
2004141033.tif 000011
【図１０】
2004141033.tif 000012
【図１１】
2004141033.tif 000013
【図１２】
2004141033.tif 000014
【図１３】
2004141033.tif 000015
【図１４】
2004141033.tif 000016
【図１５】
2004141033.tif 000017
【図１６】
2004141033.tif 000018
【図１７】
2004141033.tif 000019
【図１８】
2004141033.tif 000020
【図１９】
2004141033.tif 000021